(57)【特許請求の範囲】
【請求項１】
繰出機構部と外装部からなる口紅等の棒状化粧料繰出容器であって、
繰出機構部は、化粧料収容筒と案内スリーブ、内周に螺旋溝を刻設した螺旋案内筒と、案内スリーブを係止する係合筒とからなり、
外装部は、保持筒と、摺動筒と係止筒および外筒を具えた操作筒部とからなり、
保持筒の外周に摺動筒を嵌挿し、保持筒に対して摺動筒部を軸方向に摺動可能として外装部を一体構造としており、
保持筒には、螺旋案内筒が係止されており、
係止筒には、係合筒が一体に廻動するよう係合されるとともに、保持筒に対して操作筒部を軸方向に移動させることによって繰出機構部と外装部との係合を離脱させるようにしたことを特徴とする棒状化粧料繰出容器。
【請求項２】
係止筒の下端と係合筒の下端のそれぞれに相互に係合する膨出環を設けていることを特徴とする請求項１記載の棒状化粧料繰出容器。
【請求項３】
繰出機構部と外装部からなる口紅等の棒状化粧料繰出容器であって、
繰出機構部は、化粧料収容筒と案内スリーブ、内周に螺旋溝を刻設した螺旋案内筒と、案内スリーブを係止する係合筒とからなり、
外装部は、保持筒と操作筒と、該操作筒に嵌着された外筒とからなり、
保持筒の外周に操作筒を嵌挿し、操作筒を保持筒に対して摺動廻動自在として外装部を一体構造としており、
保持筒には、螺旋案内筒が係止されており、操作筒には、係合筒が一体に廻動するよう係合されるとともに、保持筒に対して操作筒を軸方向に移動させることによって繰出機構部と外装部との係合を離脱させるようにしたことを特徴とする棒状化粧料繰出容器。
【請求項４】
操作筒の下端と係合筒の下端のそれぞれに相互に係合する膨出環を設けていること特徴とする請求項３記載の棒状化粧料繰出容器。
【発明の詳細な説明】
【０００１】
【発明の属する技術分野】
本発明は、口紅等の棒状化粧料繰出容器、とくに外装部と繰出機構部を着脱自在とした口紅、リップクリーム、その他の棒状化粧料の繰出容器に関する。
【０００２】
【従来の技術】
保持筒と操作筒とからなる外装筒部と、棒状化粧料の収容筒を嵌挿したスリーブと螺旋案内筒とからなる繰出機構部とを備え、操作筒の操作に応じて、棒状化粧料を上方に旋回させながら繰り出すようにした口紅等の棒状化粧料繰出容器は、従来より周知である。
【０００３】
【発明が解決しようとする課題】
しかし、従来の棒状化粧料繰出容器は、保持筒と螺旋案内筒が操作筒とスリーブがそれぞれ結合され、外装筒部と繰出機構部とは、簡単に分離できないようになっていた。
そのため口紅等棒状化粧料がなくなると、繰出容器をそのまま廃棄していた。
【０００４】
ところで、容器の外装部は、金属製の筒体が使用され、高級感を出すため加飾が施され、高価なものであった。
一方、繰出機構部は、主として合成樹脂が使用され、安価に製造されていた。
化粧料の使用後に繰出容器、とくに外装部を廃棄することは、不経済で、資源の浪費となるという問題があった。
また、廃棄物の増加、とくに金属と合成樹脂が混在した廃棄物が増加するという問題があった。
【０００５】
本発明は、上記の問題点を解決することを課題とし、外装部に対して繰出機構部を取り換え自在としたカートリッジタイプの口紅等棒状化粧料繰出容器を提供することを目的とする。
【０００６】
【課題を解決するための手段】
本発明は、上記の課題を解決するため、口紅等の棒状化粧料繰出容器として、繰出機構部と外装部からなる口紅等の棒状化粧料繰出容器であって、繰出機構部と外装部とを着脱自在とし、口紅等の棒状化粧料を収容した繰出機構部を取り換え可能としたことを特徴とする。
【０００７】
実施形態として、繰出機構部と外装部からなる口紅等の棒状化粧料繰出容器であって、繰出機構部は、化粧料収容筒と案内スリーブ、内周に螺旋溝を刻設した螺旋案内筒と、案内スリーブを係止する係合筒とからなり、外装部は、保持筒と、摺動筒と係止筒および外筒を具えた操作筒部とからなり、保持筒の外周に摺動筒を嵌挿し、保持筒に対して摺動筒部を軸方向に摺動可能として外装部を一体構造としており、保持筒には、螺旋案内筒が係止されており、係止筒には、係合筒が一体に廻動するよう係合されるとともに、保持筒に対して操作筒部を軸方向に移動させることによって繰出機構部と外装部との係合を離脱させるようにしたことを特徴とする構成を採用する。
また、係合部材として、係止筒の下端と係合筒の下端のそれぞれに相互に係合する膨出環を設けていること特徴とする構成を付加する。
【０００８】
別実施形態として、繰出機構部と外装部からなる口紅等の棒状化粧料繰出容器であって、繰出機構部は、化粧料収容筒と案内スリーブ、内周に螺旋溝を刻設した螺旋案内筒と、案内スリーブを係止する係合筒とからなり、外装部は、保持筒と操作筒と、該操作筒に嵌着された外筒とからなり、保持筒の外周に操作筒を嵌挿し、操作筒を保持筒に対して摺動廻動自在として外装部を一体構造としており、保持筒には、螺旋案内筒が係止されており、操作筒には、係合筒が一体に廻動するよう係合されるとともに、保持筒に対して操作筒を軸方向に移動させることによって繰出機構部と外装部との係合を離脱させるようにしたことを特徴とする構成を採用する。
また、係合部材として、操作筒の下端と係合筒の下端のそれぞれに相互に係合する膨出環を設けていること特徴とする構成を付加する。
【０００９】
【発明の実施の形態】
次に、本発明の第１実施形態について、図面を参照して説明する。
図１において、Ａは、口紅、リップクリーム、スティックアイシャドー、その他の棒状化粧料繰出容器であり、本実施形態では、口紅繰出容器としている。
Ｂは繰出機構部、Ｃは外装部である。
繰出機構部Ｂは、合成樹脂をもって成形され、外装部は、一部は金属、一部は合成樹脂をもって成形され、加飾が施されている。
【００１０】
繰出機構部Ｂは、図２，３に示すように、口紅収容筒１と該口紅収容筒１を嵌挿する案内スリーブ２、螺旋案内筒３と係合筒４とからなっている。
口紅収容筒１は、その内周には、口紅を保持する縦リブと横リブが設けられ、外周には一対の嵌合突起５が突設されている。
【００１１】
案内スリーブ２は、口紅収容筒１を上下方向に移動可能とした一対のスリット６，７が設けられ、一方のスリット６は、案内スリーブ２の下端にまで達している。
案内スリーブ２の上端には、係止環８が設けられており、下端部には拡径周面９が形成され、下端内周には、膨出環１０が設けられている。
【００１２】
螺旋案内筒３の内周には、嵌合突起５が係合する螺旋溝１１が形成され、外周上端部には、複数の突条１２が突設されている。
螺旋溝１１には、口紅収容筒１の嵌合突起５が案内スリーブ２のスリット６，７より突出して係合しており、螺旋案内筒３の廻動によって口紅収容筒１が旋回しながら上昇するようにしている。
【００１３】
係合筒４は、外筒１３と短い内筒１４とを具えており、外筒１３外周の上端には、係合溝１５が設けられている。
外筒１３外周の下端近くには、複数の突条１６が配設され、その下方には膨出環１７が設けられている。
内筒１４の外周上端には膨出環１８が設けられ、円周の一個所には、スリット６の下端に係合する係止片１９が設けられている。
【００１４】
繰出機構部Ｂの組立にあたって、まず、口紅収容筒１、案内スリーブ２、螺旋案内筒３が組み合わせられるが、組み合わされた案内スリーブ２下端の拡径周面９の部分が、係合筒４の外筒１３と内筒１４との間に装着され、その際、案内スリーブ２のスリット６下端が係止片１９に係合されることによって周方向に位置決めされ、スリーブ２の膨出環１０が内筒１４上端の膨出環１８に係合することによって締着される。
【００１５】
かくして、組み立てられた繰出機構部Ｂの口紅収容筒１には、口紅が収容され、図３に示すように、カバーキャップ２０が被嵌され、カートリッジタイプの口紅収容器具Ａ１が形成される。
多数の口紅収容器具Ａ１にそれぞれ色彩の異なる口紅を収容することによって、各種の口紅収容器具Ａ１を取り揃えることができる。
【００１６】
外装部Ｃは、図４に示すように、保持筒２１と保持筒２１に摺動自在に嵌挿された操作筒部２２とからなっており、操作筒部２２は、摺動筒２３と、該摺動筒２３の下端に締着された係止筒２４と外筒２５とからなっている。
保持筒２１は、内周上端に多数の縦リブ２６が設けられ、中間部には、段部２７が形成され、その下方は拡径部となっている。
【００１７】
摺動筒２３の内周には、係合段部２８が設けられ、摺動筒２３の内周は、前記保持筒２１の段部２７上下に延びて摺動するようになっている。
摺動筒２３の外周中間部には、フランジ２９が突出されており、その上方には、膨出環３０が設けられている。
摺動筒２３の内周下端には、膨出環と溝が設けられ、係合部３１が設けられている。
【００１８】
係止筒２４の外周上端部には、段部３２が設けられ、その上方の縮径部３３は、係合部３１の溝に対応して、膨出部３４を設けた係合部となっている。
係止筒２４の内周下端近くには、多数の縦リブ３５が設けられ、下端には、内方に突出する膨出環３６が設けられており、下端外周には、縮径部３７が形成されている。
【００１９】
外筒２５は、摺動筒２３の下半分と係止筒２４を被うようその外周に嵌合され、その下端近くには、段部３８が形成され、下端には、内方に突出する環状板３９が形成されている。
【００２０】
外装部Ｃの組立にあたっては、保持筒２１に摺動筒２３が摺動廻動自在に嵌挿され、次いで、係止筒２４が摺動筒２３に嵌着され、外筒２５の上端がフランジ２９に接し、下端近くの段部３８が係止筒２４の下端縮径部３７に接合するようにして、外筒２５が摺動筒２３と係止筒２４の外周に嵌着され、操作筒部２２として一体化される。
【００２１】
かくして、保持筒２１と、保持筒２１に対して一定範囲で上下動可能であり、かつ廻動自在に枢支された操作筒部２２とからなる外装部Ｃが組み立てられる。
【００２２】
次いで、口紅を収容した繰出機構部Ｂが外装部Ｃに嵌挿され、図１に示す口紅繰出容器Ａが組み立てられる。
その際、螺旋案内筒３の上端に設けられた突条１２が、保持筒２１の上端内周の縦リブ２６に係合して相互の廻動が阻止され、係合筒４外筒１３の下端部外周に設けられた突条１６と膨出環１７が、それぞれ係止筒２４の内周下端近くに設けられた縦リブ３５と膨出環３６に係合し、係合筒４と操作筒部２２とが一体となって相互の廻動と上下動が阻止されている。
【００２３】
組み立てられた口紅繰出容器Ａにオーバーキャップ４０を被嵌することによって製品が完成する。
そして、外装部Ｃの外周面およびオーバーキャップ４０の表面には、加飾が施され、製品に高級感が付与されている。
【００２４】
次に、本実施形態容器の使用態様とその作用効果について説明する。
まず、オーバーキャップ４０を開蓋し、外装部Ｃの保持筒２１を把持して操作筒部２２を廻動させたときには、口紅収容筒１の嵌合突起５が、保持筒２１によって廻動が阻止された螺旋案内筒３の螺旋溝１１に案内され、口紅収容筒１が廻動しながら上昇し、口紅を最上位置まで繰り出すことができる。
また、反対に操作筒部２２を把持し、保持筒２１を廻動させると、口紅収容筒１を廻動させずに上昇させることができる。
【００２５】
口紅がなくなったとき、または異なる口紅を使用するときには、図５に示すように、操作筒部２２に対して保持筒２１を押し下げると、係止筒２４下端の膨出環３６と係合筒４の膨出環１７との係合が外され、繰出機構部Ｂの下方への移動が自由になり、繰出機構部Ｂを引き出すことができる。
その際には、外装部Ｃの保持筒２１上端の縦リブ２６および係止筒２４の下端の縦リブ３５と繰出機構部Ｂの突条１２，１６との係合も外れ、周方向への廻動も自由となる。
【００２６】
新しい繰出機構部Ｂを装着する時には、外装部Ｃに下方から押し込み、膨出環１７が膨出環３６を乗り越えるよう押圧することによって、容易に装着することができる。
【００２７】
したがって、口紅繰出容器Ａの使用時に、外装部Ｃから繰出機構部Ｂを簡単に取り外し、取り換えができるので、口紅を使い切ったときには、新しい口紅収容器具Ａ１の繰出機構部Ｂを装着して使用できるので、高級感のある外装部を廃棄することなく使用できるようになり、省資源、廃棄物の減少に役立つことができる。
また、一つの口紅繰出容器Ａとともに各種の色の異なる口紅収容器具Ａ１を取り揃え、取り換え交換することによって、好みの口紅を使用できる。
【００２８】
また、製造工程においては、口紅を収容した繰出機構部Ｂと外装部Ｃを別個に組み立て、繰出機構部Ｂを外装部Ｃに装着するだけで容易に口紅繰出容器ができるようになったので、生産効率を上げられるようになった。
【００２９】
次に、本発明の第２実施形態について、図面を参照して説明する。
図６において、Ａａは口紅等の棒状化粧料繰出容器であり、Ｂａは繰出機構部、Ｃａは外装部である。
繰出機構部Ｂａは、図７，８に示すように、口紅収容筒５０と案内スリーブ５１、螺旋案内筒５２と係合筒５３とからなっている。
口紅収容筒５０は、内周に口紅を保持する縦リブと横リブが設けられ、外周には一対の嵌合突起５４が突設されている。
【００３０】
案内スリーブ５１は、下方の基筒部５５と基筒部５５の外周から延びるスリーブ５６とからなり、基筒部５５の外周下方は縮径され、該縮径部に複数の突条５７が設けられ、下端部近くに膨出環５８が設けられている。
スリーブ５６には、口紅収容筒５０を上下方向に移動可能とした一対のスリット５９，６０が設けられ、一方のスリット５９は、スリーブ５６の上端にまで達している。
スリーブ５６の上端は拡径され、スリット５９部分を残して係止環６１が設けられている。
【００３１】
螺旋案内筒５２は、上部薄肉部６２と下部肉厚部６３とからなっており、内周面には、螺旋溝６４が形成され、外周下端部には、多数の縦リブ６５が突設されている。
螺旋溝６４には、スリット５９，６０より突出した口紅収容筒５０の嵌合突起５４が係合し、案内スリーブ５１の廻動によって口紅収容筒５０が旋回しながら上昇するようにしている。
【００３２】
係合筒５３の上端面には、複数の係止爪６６が立設されており、外周下端部には、複数の突条６７と膨出環６８が設けられている。
内周下端部には、多数の縦リブ６９と膨出環７０が設けられている。
【００３３】
繰出機構部Ｂａの組立にあたって、まず、口紅収容筒５０、案内スリーブ５１と、螺旋案内筒５２が組み立てられ、次いで、組み合わされた案内スリーブ５１の基筒部５５の外周に係合筒５３が嵌挿される。
その際、係合筒５３内周の縦リブ６９が基筒部５５の突条５７に係合して周方向に位置決めされ、基筒部５５の膨出環５８が係合筒５３の膨出環７０に係合することによって、案内スリーブ５１と係合筒５３が嵌着される。
そして、係合筒５３の係止爪６６が螺旋案内筒５２の下端内周に弾接し、案内スリーブ５１と螺旋案内筒５２間の妨動を防ぐようにしている。
【００３４】
かくして、組み立てられた繰出機構部Ｂａの口紅収容筒５０には、口紅が収容され、図８に示すように、カバーキャップ７１が被嵌され、カートリッジタイプの口紅収容器具Ａ１ａが形成される。
多数の口紅収容器具Ａ１ａにそれぞれ色彩の異なる口紅を収容することによって、各種の口紅収容器具Ａ１ａを取り揃えることができる。
【００３５】
外装部Ｃａは、図９に示すように、保持筒８０と保持筒８０に摺動自在に嵌挿された操作筒８１とを具えている。
保持筒８０は、その中間部には、段部８２が形成され、その下方は拡径部となっており、下端部は、さらに拡径され、その内周には多数の縦リブ８３が刻設されている。
【００３６】
操作筒８１の上端には、前記段部８２に係合する係止環８４が設けられており、外周には、フランジ８５が設けられている。
フランジ８５の下方には、外筒８６が嵌着され、操作筒８１と一体となっている。
操作筒８１の内周中間部には、段部８７が形成されており、下端部近くには、縦リブ８８が設けられ、下端には、膨出環８９が設けられている。
【００３７】
外装部Ｃａの組立にあたっては、保持筒８０が外筒８６を装着した操作筒８１に摺動廻動自在に嵌挿される。
【００３８】
次いで、口紅を収容した繰出機構部Ｂａが外装部Ｃａに嵌挿され、図６に示す口紅繰出容器Ａａが組み立てられる。
その際、螺旋案内筒５２の下端部に設けられた縦リブ６５が、保持筒８０の下端内周の縦リブ８３に係合して相互の廻動が阻止され、係合筒５３の外周の下端部外周に設けられた突条６７と膨出環６８が、それぞれ操作筒８１の内周下端近くに設けられた縦リブ８８と膨出環８９に係合し、案内スリーブ５１と係合筒５３と、操作筒８１とが一体となって相互の廻動と上下動が阻止されている。
【００３９】
組み立てられた口紅繰出容器Ａａにオーバーキャップ９０を被嵌することによって製品が完成する。
【００４０】
次に、本実施形態容器の使用態様と作用効果について説明する。
まず、オーバーキャップ９０を開蓋し、外装部Ｃａの保持筒８０を把持して操作筒８１を廻動させる。
口紅収容筒５０の嵌合突起５４が、保持筒８０によって廻動が阻止された螺旋案内筒５２の螺旋溝６４に沿って案内され、口紅収容筒５０が廻動しながら上昇し、口紅を最上位置まで繰り出すことができる。
また、反対に操作筒８１を把持し、保持筒８０を廻動させると、口紅収容筒５０を廻動させずに上昇させることができる。
【００４１】
口紅がなくなったとき、または異なる口紅を使用するときには、図１０に示すように、操作筒８１に対して保持筒８０を押し下げると、操作筒８１下端の膨出環８９と係合筒５３の膨出環６８との係合が外され、繰出機構部Ｂａの下方への移動が自由になり、繰出機構部Ｂａを引き出すことができる。
その際には、外装部Ｃａの保持筒８０下端の縦リブ８３および操作筒８１下端の縦リブ８８と繰出機構部Ｂａに対応する縦リブ６５と突条６７との係合も外れ、周方向への廻動も自由となる。
【００４２】
新しい繰出機構部Ｂａを装着する時には、外装部Ｃａに下方から押し込み、係合筒５３の膨出環６８が操作筒８１の膨出環８９を乗り越えるよう押圧することによって、容易に装着することができる。
【００４３】
したがって、前記第１実施形態と同様に、口紅繰出容器Ａａの使用時に、外装部Ｃａから繰出機構部Ｂａを簡単に取り外し、取り換えができるので、口紅を使い切ったときには、新しい口紅収容器具Ａ１ａの繰出機構部Ｂａを装着して使用できるので、高級感のある外装部Ｃａを廃棄することなく使用できるようになり、省資源、廃棄物の減少に役立つことができる。
また、各種の色の異なる口紅収容器具を取り揃え、取り換え交換して、好みの口紅を使用できる。
【００４４】
また、製造工程においては、口紅を収容した繰出機構部Ｂａと外装部Ｃａを別個に組み立て、繰出機構部Ｂａを外装部Ｃａに装着するだけで容易に口紅繰出容器ができるようになったので、生産効率を上げることができる。。
【００４５】
【発明の効果】
本発明は、上記のように構成されているから、次の効果を奏する。
口紅等の棒状化粧料繰出容器の外装部と繰出機構部とを簡単に着脱できるようにしたので、棒状化粧料収容器具を取り換え使用することができる。
そのことにより、高級感のある外装部を廃棄することなく、新しい化粧料を利用することができる。
また、各種の化粧料を収容した棒状化粧料収容器具を取り揃えることにより、好みのものにも使用できる。
【図面の簡単な説明】
【図１】本発明第１実施形態容器の断面図である。
【図２】繰出機構部の分解図である。
【図３】繰出機構部の断面図である。
【図４】外装部の断面図である。
【図５】  脱着時の説明図である。
【図６】第２実施形態の容器の断面図である。
【図７】繰出機構部の分解図である。
【図８】  繰出機構部の組立図である。
【図９】外装部の断面図である。
【図１０】  脱着時の説明図である。
【符号の説明】
Ａ、Ａａ            棒状化粧料繰出容器
Ａ１、Ａ１ａ        口紅収容器具
Ｂ、Ｂａ            繰出機構部
Ｃ、Ｃａ            外装部
１、５０            口紅収容筒
２、５１            案内スリーブ
３、５２            螺旋案内筒
４、５３            係合筒
５、５４            嵌合突起
６、７、５９、６０  スリット
１１、６４          螺旋溝
１２、１６          突条
１７、６８          膨出環
２１、８０          保持筒
２２                操作筒部
２３                摺動筒
２４                係止筒
２５、８６          外筒
３５、８８          縦リブ
３６、８９          膨出環
６９                縦リブ
８１                操作筒
８３                縦リブ
８４                係止環
【図１】
0004008191.tif 000002
【図２】
0004008191.tif 000003
【図３】
0004008191.tif 000004
【図４】
0004008191.tif 000005
【図５】
0004008191.tif 000006
【図６】
0004008191.tif 000007
【図７】
0004008191.tif 000008
【図８】
0004008191.tif 000009
【図９】
0004008191.tif 000010
【図１０】
0004008191.tif 000011